【事件の表示】
　特願２０００−６１３１２７「メッセージを送出する方法」拒絶査定不服審判事件〔平成１２年１０月２６日国際公開、ＷＯ００／６４１１０、平成１４年１２月１０日国内公表、特表２００２−５４２５４８〕について、次のとおり審決する。
【結　論】
　本件審判の請求は、成り立たない。
【理　由】
１．手続きの経緯・本願発明 
　本願は，１９９９年４月１９日を国際出願日とする出願であって，平成１７年７月２０日付けで拒絶理由通知がなされ，平成１８年１月２０日付けで手続補正がなされたが，同年２月２７日付けで拒絶査定がなされ，これに対して同年６月５日に拒絶査定に対する審判請求がなされたものである。 
　そして，その請求項１に係る発明は，平成１８年１月２０日付けの手続補正書によって補正された明細書の記載からみて，本願の特許請求の範囲の請求項１に記載された次のとおりのものである（以下，「本願発明」という。）。 
　 
「　【請求項１】　プロトコルデータユニット（PDU）と通信することができ，さらに，１つまたはそれ以上のセグメントからなるマルチメディアメッセージを送信するため複数の移動ターミナルにアクセスしうるサポートノード（SN）に接続されるマルチメディアメッセージサービスセンター（MMSC）を備える通信ネットワークにおいてマルチメディアメッセージを送出する方法であって，
　上記マルチメディアメッセージサービスセンター（MMSC）が特定の移動ターミナルにアドレスされたマルチメディアメッセージを受け取り，上記アドレスされた移動ターミナルとサポートノードとの間のデータ転送のためのコンテキストをアクチベートし，上記アドレスされた移動ターミナル（MS）の能力（CAP）に関する能力情報を，上記アドレスされた移動ターミナルからプロトコルデータユニット（PDU）でもって上記マルチメディアメッセージサービスセンターへと与え，上記能力情報は，上記ターミナルによってサポートされるコーデックを指示できるものであり，
　上記マルチメディアメッセージサービスセンター（MMSC）がマルチメディアメッセージの存在を指示するため該マルチメディアメッセージに関するマルチメディアメッセージ通知を上記アドレスされた移動ターミナルへ送信し，
　上記マルチメディアメッセージサービスセンター（MMSC）が上記能力情報にしたがって上記マルチメディアメッセージを変更し，
　上記マルチメディアメッセージサービスセンター（MMSC）が上記変更されたマルチメディアメッセージを上記サポートノードを介して上記アドレスされた移動ターミナルへ送信し，
　上記アドレスされた移動ターミナルが，所定の状態が発生したときに，更新された能力情報を上記マルチメディアメッセージサービスセンター（MMSC）へ送信する，
という段階を含むことを特徴とする方法。」 
　 
２．引用例 
　これに対して，原査定の拒絶の理由に引用された国際公開第９８／１５０９１号パンフレット（以下，「引用例１」という。日本語訳は，特表２０００−５１４５８２号公報参照。）には，図面とともに，次の事項が記載されている。 
　 
（Ａ）「FIG. 1 shows an architecture of a network system employing the present invention, The network system comprises a data terminal 1 and a central facility 2 which are connected each other through a network NW. The data terminal 1 may be a personal digital phone (either with or without data capability), a PDA, a PC or any other terminal type provided with a code transfer section 11. The code transfer section 11 may include a part of a program which enables the data terminal 1 to communicate with the central facility 2 and a part of the hardware of the data terminal 1, such as a memory. The code transfer section 11 stores a model code which is determined by the central facility 2 based on capabilities and features of the data terminal 1 in the first communication process between the data terminal and the central facility 2 which will be described later, and sends the model code to the central facility 2 at every time the data terminal 1 commences communicating to the central terminal 2.
　　 The facility 2 may be implemented by a network service provider which supplies information services using networks and can be connected to a plurality of data terminals 1, each of which may differ from others in its capabilities and/or features. The facility 2 has a code storage section 21, a code discrimination section 22, a information transfer section 23 and a code setting section 24. The code storage section 21 may include a relational database, such as a table, and stores model codes which are determined based on the capabilities and features of the different data terminals 1 to be served, together with related data on the capabilities and features of each model code. The code discrimination section 22 detects the model code sent from the data terminal 1 when it connects to the central facility 2 and obtains the specification data describing the capabilities and features corresponding to the specific model code from the data storage section 21. Further, the code discrimination section 22 supplies the specification data obtained from the code storage section 21 to the information transfer section 23. When the code discrimination section 22 detects an unregistered code, the code setting section 24 performs an operation for assigning the specific model code to the data terminal 1. The code setting section 23 may include programs. The code setting section 23 obtains data on the capabilities and features of the data terminal 1 from the data terminal 1 and seeks out an appropriate model code stored in the code storage section 21 based on the data of the capabilities and features. The code setting section 24 sends the specific model code to the data terminal 1. The information transfer section 23 has a data storage section 231 and a data modification section 232 and transfers information to the data terminal 1 in the manner appropriate to the capabilities and features indicated by the specification data supplied from the code discrimination section 22. The data storage section 231 stores various documents for supplying to the data terminal 1. Such documents may include HTML documents, e-mail messages and other documents with respect to characters, graphics or sounds. The data modification section 232 modifies or selects the documents stored in the data storage section 231 according to the specification data supplied from the code discrimination section 22 and sends the modified or selected documents to the data terminal 1. The modifications or selections permit the documents sent to each data terminal 1 to appear in the desired form consistent with the characteristic of that particular terminal type. For example, when the data terminal 1 uses different code scheme from the documents stored on the data storage section 231, the data modification section 232 modifies the code scheme of the documents into appropriate code scheme to the data terminal 1. When the data terminal has a display which is not capable of displaying image data, the data modification section 232 deletes image data from the documents to be sent.
　　 FIG. 2 shows specific different types of data terminal and central facility connected to the network system shown in FIG. 1. A personal digital phone 10a, a PDA 10b and a PC 10c in FIG. 2 are the data terminal 1 in FIG. 1. A standard telephone network NW in FIG. 2 is the network NW in FIG. 1. A server 201 and an information storage section 202 in FIG. 2 are included in the central facilities 2 in FIG. 1.
　　 In this embodiment, the server 201 performs several functions, such as an authorizing system, a World Wide Web server, a news server, a mail server and a levy system, and connects an Internet INET through a private wire.
　　 The personal digital phone 10a, the PDA 10b and the PC 10c connect to the standard telephone network NW through a modulation/demodulation apparatus, such as a modem (modulator/demodulator). The central facility 2 supplies services, such as a Internet service, news service and a e-mail service, to the personal digital phone 10a, the PDA 10b and the PC10c. The news service includes information with respect to restaurants, concerts, movies and the like as well as news.
　　 The information storage section 202 stores a plurality of databases which are necessary to supply the information services to the data terminals 1.
　　 FIG. 3 shows a basic block diagram of the data terminal 1 which may be the personal digital phone 10a, the PDA 10b and the PC 10c. The data terminals 1 include a CPU (central processing unit) 101, a display 102, a communication section 103, and input section 104 and RAM (random access memory) 105, a memory unit 106 and a model code memory 108. The display 102 may consist of an LCD (liquid crystal display ) in a portable type of the data terminal 1, such as the personal digital phone 10a and the PDA 10b. In the PC 10c, the display 102 may be a CRT (cathode ray tube) or an LCD. The communication section 103 may be a modem and controls connection to the network NW. 」 （第６頁第１４行〜第１０頁２１行）
（対応日本語訳：「図１は，この発明に使用するネットワークシステムの構成を示す。ネットワークシステムは，互いにネットワークＮＷを介して接続されるデータ端末１とセンタ装置２から構成される。データ端末１は，パーソナルデジタルフォン（データ処理能力を備えても備えなくてもよい），ＰＤＡ，ＰＣ又は，その他のコード送信部１１を備えるものである。コード送信部１１は，データ端末１がセンタ装置２と通信するためのプログラムの一部と，データ端末１のハードウエアの一部，例えば，メモリを備える。コード送信部１１は，データ端末と後述するセンタ装置２が初めて接続するときに，データ端末１の能力と特徴に基づいてセンタ装置２によって決定される機器コードを記憶し，データ端末１がセンタ装置２に接続する度に記憶した機器コードをセンタ２に送信する。
　装置２は，例えばネットワークを介して情報を提供し，それぞれ能力や特徴の異なる複数のデータ端末１に接続することができるネットワークサービスプロバイダーから構成される。装置２は，コード記憶部２１，コード判別部２２，情報提供（転送）部２３及びコード設定部２４を具備している。コード記憶部２１は，テーブル等のリレーショナルデータベースを備え，サービスの対象となる異なるデータ端末１の能力と特徴に基づいて決められた機器コードと，各機器コードの能力と特徴に関するデータを記憶している。コード判別部２２は，データ端末１がセンタ装置２に接続する際にデータ端末１から送信された機器コードを検出し，データ記憶部２１から特定機器コードに対応する能力と特徴を示す仕様データを取得する。またコード判別部２２は，コード記憶部２１から取得した仕様データを情報提供部２３に供給する。コード判別部２２が未登録コードを検出したとき，コード設定部２４はデータ端末１に特定機器コードを割り当てる動作を実行する。コード設定部２３は，プログラムを含む。コード設定部２３は，データ端末１からこのデータ端末１の能力と特徴に関するデータを取得し，取得した能力と特徴に関するデータに基づいてコード記憶部２１に記憶されている適切な機器コードを探し出す。コード設定部２４は，データ端末１に特定機器コードを送信する。情報提供部２３は，データ記憶部２３１と，データ加工部２３２を備え，コード判別部２２から供給された仕様データにより示される能力と特徴に適した方式でで，情報をデータ端末１に送信する。データ記憶部２３１は，データ端末１に供給する様々なドキュメントを記憶する。このドキュメントは，例えば，ＨＴＭＬドキュメント，電子メールのメッセージ，その他の文字，図形，音等を含むドキュメントである。データ加工部２３２は，コード判別部２２から供給される仕様データに従って，データ記憶部２３１に記憶されているドキュメントを加工又は選択し，加工又は選択したドキュメントをデータ端末１に送信する。この加工（修正）又は選択により，それぞれのデータ端末１の特徴にあった形式（フォーム）で，各データ端末１にドキュメントを送信することができる。例えば，データ端末１がデータ記憶部２３１に記憶されているドキュメントと異なるコード体系を使用するとき，データ加工部２３２は，ドキュメントのコード書式をデータ端末１に適切なコード書式に加工する。データ端末が画像データを表示することができない表示部を有するとき，データ加工部２３２は，送信するデータから画像データを削除する。
　図２は，図１に示すネットワークシステムに，異なる形式のデータ端末とセンタ装置が接続している構成を示す。図２に示すパーソナルデジタルフォン１０ａ，ＰＤＡ１０ｂ，ＰＣ１０ｃは，図１に示すデータ端末１である。図２に示す通常の電話回線網ＮＷは，図１に示すネットワークＮＷである。図２に示すサーバ２０１と情報記憶部２０２は，図１に示すセンタ装置２に含まれている。
　この実施例では，サーバ２０１は，例えば認証システム，ワールドワイドウェブサーバ，ニュースサーバ，メールサーバ，課金システム等の機能を果たし，専用線を介してインターネットＩＮＥＴに接続されている。
　パーソナルディジタルフォン１０ａ，ＰＤＡ１０ｂ，ＰＣ１０ｃは，モデム（変調／復調）等の変復調装置を介して通常の電話回線網ＮＷに接続する。センタ装置２は，パーソナルディジタルフォン１０ａ，ＰＤＡ１０ｂ，ＰＣ１０ｃに対して，インターネットサービス，ニュースサービス，電子メールサービス等のサービスを提供する。ニュースサービスとは，ニュースと共にレストラン，コンサート，映画等に関する情報を提供する。
　情報記憶部２０２は，データ端末１に情報サービスを提供するために必要な複数のデータベースを記憶する。
　図３は，パーソナルディジタルフォン１０ａ，ＰＤＡ１０ｂ，ＰＣ１０ｃ等のデータ端末１の基本的なブロック図である。データ端末１は，ＣＰＵ(central processing unit)１０１，表示部１０２，通信部１０３，入力部１０４，ＲＡＭ（random access memory）１０５，記憶装置（メモリユニット）１０６，機器コードメモリ１０８を備える。パーソナルデジタルフォン１０ａとＰＤＡ１０ｂのような移動型のデータ端末１では，表示部１０２は，ＬＣＤ（liquid crystal display）等から構成される。ＰＣ１０ｃでは，表示部１０２は，ＣＲＴ（cathode ray tube）又はＬＣＤ等から構成される。通信部１０３はモデム等から構成され，ネットワークＮＷとの接続を制御する。」（公報第９頁第５行〜第１１頁第１５行））
　
（Ｂ）「The second embodiment of the invention will be described as follows.
　　 FIG. 15 shows a network system of the second embodiment of the invention. A data terminal 1A includes a code transfer section 12 which may include a part of a program which enables the data terminal 1A to communicate with a central facility 2A and a part of the hardware of the data terminal 1A. The code transfer section 12 prepares a model code based on the capabilities and features of the data terminal 1A which are input by the user of the data terminal 1A and sends the model code to the central facility 2A every time the data terminal 1A connects to the central facility 2A. FIG. 16 shows the model code which is prepared by the code transfer section 12. The model code includes a discrimination header code and function codes which indicate capabilities of the display, display size, code scheme, communication protocols, still image formats and memory capacity. The code transfer section 12 automatically prepares the model code based on an input data by the user.
　　 The central facility 2A includes a model code decode section 25 and an information transfer section 23A. The model code decode section 25 decodes the model code sent from the data terminal 1A. That is, the model code decode section 25 prepares the specification data which indicates the capabilities and features of the data terminal 1A from the model code based on a table shown in FIG. 17. Thereafter, the model code decode section 25 supplies the specification data to a data modification section 236 of the information transfer section 23A. The data modification section 236 modifies or selects the information data stored in the data storage section 235.」（第２２頁第１４行〜第２３頁第２０行）
（対応日本語訳：「次に，本発明の第２の実施形態にかかるネットワークシステムについて説明する。
　図１５は，本発明の第２の実施形態にかかるネットワークシステムを示している。データ端末１Ａは，データ端末１Ａがセンタ装置２Ａと通信するためのプログラムの一部を含むコード送信部１２と，データ端末１Ａのハードウェアの一部とを備えている。コード送信部１２は，データ端末１Ａのユーザにより入力された，データ端末１Ａの能力と特徴に基づいた機器コードを生成し，データ端末１Ａがセンタ装置２Ａに回線を接続する毎に，機器コードをセンタ装置２Ａに送信する。図１６は，コード送信部１２が生成した機器コードを示している。機器コードは，接頭識別コードと，表示部の表示能力と，表示サイズと，コード体系と，コミュニケーションプロトコルと，静止画フォーマットと，メモリ容量と，を示すファンクションコードから構成されている。コード送信部１２は，ユーザが入力したデータに基づいて機器コードを自動的に生成する。
　センタ装置２Ａは，情報提供部（情報転送部）２３Ａと，機器コードデコード部２５とから構成される。機器コードデコード部２５は，データ端末１Ａから送信された機器コードをデコードする。つまり，機器コードデコード部２５は，図１７に示す表に基づいた機器コードから，データ端末１Ａの能力と特徴を示す仕様データを生成する。その後，機器コードデコード部２５は，情報提供部２３Ａのデータ制御部２３６にその仕様データを出力する。データ制御部２３６は，データ蓄積部２３５が記憶している情報データを加工または選択する。」（公報第１８頁第２２行〜第１９頁１３行））
　
　よって，引用例１には以下の発明（以下，「引用例１記載の発明」という。）が記載されている。 
　 
「互いにネットワークＮＷを介して接続されるデータ端末とセンタ装置から構成されるネットワークシステムにおいて，ドキュメントを送信する方法であって，
　上記データ端末は，パーソナルデジタルフォン，ＰＤＡ，ＰＣ又は，その他のコード送信部を備えるものであり，
　上記センタ装置は，データ端末に対して，インターネットサービス，ニュースサービス，電子メールサービス等のサービスを提供し，データ端末に供給する様々なドキュメントを記憶しており，
　このドキュメントは，例えば，ＨＴＭＬドキュメント，電子メールのメッセージ，その他の文字，図形，音等を含むドキュメントであり，
　上記データ端末は，センタ装置に回線を接続する毎に，上記データ端末の能力と特徴に基づいた機器コードを上記センタ装置に送信し，
　上記センタ装置は，上記機器データに対応する仕様データにしたがって上記ドキュメントを加工又は選択し，
　上記センタ装置は，上記加工又は選択されたドキュメントを上記ネットワークＮＷを介して上記データ端末へ送信する，
ことを含む方法。」 
　
３．対比 
　本願発明と引用例１記載の発明とを対比する。 
　
　引用例１記載の発明の「データ端末」は，パーソナルデジタルフォン，ＰＤＡのような移動型のデータ端末，あるいはモデム等の通信部を備えたＰＣであるから移動可能であり，本願発明の「移動ターミナル」に相当する。
　
　引用例１記載の発明の「ネットワークＮＷ」と本願発明の「サポートノード」はともに，通信ネットワークシステムにおいて，複数の移動ターミナルにアクセスしうる「接続手段」である点で共通である。
　
　引用例１記載の発明の「ドキュメント」は，移動ターミナルに送出されるメッセージであるとともに，ＨＴＭＬドキュメント，電子メールのメッセージ，その他の文字，図形，音等を含むマルチメディアのドキュメントであるから，本願発明の「マルチメディアメッセージ」に相当する。
　
　引用例１記載の発明は，インターネットサービスや電子メールサービスを提供する際に，マルチメディアメッセージをユーザが操作する移動ターミナル（すなわち特定の移動ターミナル）に転送するために，センタ装置が外部から（例えばメールボックスに）「特定の移動ターミナルにアドレスされたマルチメディアメッセージを受け取」っていることは明白である。このとき，マルチメディアメッセージの転送先の移動ターミナルが「アドレスされた移動ターミナル」になることは自明である。　
　
　引用例１記載の発明の「データ端末の能力と特徴に基づいた機器コード」は，本願発明の「能力情報」に相当する。
　
　引用例１記載の発明において，マルチメディアメッセージを「加工又は選択」することは，本願発明における「変更」に相当する。
　
　引用例１記載の発明の移動ターミナルは，センタ装置に接続する毎に，能力情報をセンタ装置へ送信しており，「所定の状態が発生したときに」能力情報をセンタ装置へ送信している。
　そして，引用例１記載の発明の「センタ装置」は，マルチメディアメッセージを記憶し，情報提供（転送）するサービスを実行しているから，「マルチメディアメッセージサービスセンター」といえ，引用例１記載の発明の「ネットワークシステム」は，本願発明の「通信ネットワーク」に相当する。
　
　したがって，本願発明と引用例１記載の発明は，以下の点で一致し，また，相違している。 
　 
［一致点］
　マルチメディアメッセージを送信するため複数の移動ターミナルにアクセスしうる接続手段に接続されるマルチメディアメッセージサービスセンターを備える通信ネットワークにおいてマルチメディアメッセージを送出する方法であって，
　上記マルチメディアメッセージサービスセンターが特定の移動ターミナルにアドレスされたマルチメディアメッセージを受け取り，上記アドレスされた移動ターミナルの能力に関する能力情報を，上記アドレスされた移動ターミナルから上記マルチメディアメッセージサービスセンターへと与え，
　上記マルチメディアメッセージサービスセンターが上記能力情報にしたがって上記マルチメディアメッセージを変更し，
　上記マルチメディアメッセージサービスセンターが上記変更されたマルチメディアメッセージを上記接続手段を介して上記アドレスされた移動ターミナルへ送信し，
　上記アドレスされた移動ターミナルが，所定の状態が発生したときに，能力情報を上記マルチメディアメッセージサービスセンターへ送信する，
という段階を含むことを特徴とする方法。
　
［相違点１］
　本願発明は，「プロトコルデータユニットと通信することができ」，また，「上記アドレスされた移動ターミナルの能力に関する能力情報を，上記アドレスされた移動ターミナルからプロトコルデータユニットでもって上記マルチメディアメッセージサービスセンターへと与え」るのに対して，
　引用例１記載の発明は，機器コードをデータ端末からセンタ装置に送信しているが，プロトコルデータユニットについて記載がない点。
　
［相違点２］
　本願発明のマルチメディアメッセージは，「１つまたはそれ以上のセグメントからなるマルチメディアメッセージ」であるのに対して，
　引用例１記載の発明は，送信されるメッセージとセグメントとの関係について記載がない点。
　
［相違点３］
　複数の移動ターミナルにアクセスしうる接続手段に関して，本願発明は「サポートノード」を有し，「上記アドレスされた移動ターミナルとサポートノードとの間のデータ転送のためのコンテキストをアクチベートし」，「上記マルチメディアメッセージサービスセンターが上記変更されたマルチメディアメッセージを上記サポートノードを介して上記アドレスされた移動ターミナルへ送信し」ているのに対し，
　引用例１記載の発明のネットワークＮＷには，サポートノードがない点。
　
［相違点４］
　本願発明の能力情報は，ターミナルによってサポートされるコーデックを指示できるものであるのに対して，
　引用例１記載の発明の機器コードは，送信するドキュメントの加工や選択を指示できるが，コーデックを指示できるものなのか明らかでない点。
　
［相違点５］
　本願発明は，「上記マルチメディアメッセージサービスセンターがマルチメディアメッセージの存在を指示するため該マルチメディアメッセージに関するマルチメディアメッセージ通知を上記アドレスされた移動ターミナルへ送信し」ているのに対して，
　引用例１記載の発明は，そのような処理が記載されてない点。
　
［相違点６］
　所定の状態が発生したときに，本願発明の移動ターミナルは，「更新された能力情報を上記マルチメディアメッセージサービスセンターへ送信する」のに対して，
　引用例１記載の発明は，センタ装置に送信する機器コードが，更新された機器コードであるのか明らかでない点。
　
４．当審の判断 
　
　上記相違点について検討する。 
　
［相違点１］について 
　複数のプロトコル層に階層化された通信プロトコル（例えばＯＳＩ参照モデル）を用いて，伝送する命令やデータをプロトコルデータユニット（ＰＤＵ）でもってパッケージングして伝送することは普通に行われており，引用例１記載の発明において，プロトコルデータユニットと通信することができ，移動ターミナル（データ端末）が能力情報（機器コード）をプロトコルデータユニットでもってマルチメディアメッセージサービスセンター（センタ装置）に与えるようにすることに格別の困難性はない。
　
［相違点２］について
　メッセージをセグメントに分割して送信することは普通に行われており，引用例１記載の発明において，送信されるマルチメディアメッセージを，１つまたはそれ以上のセグメントからなるマルチメディアメッセージとすることに格別の困難性はない。
　
［相違点３］について
　特開平１０−３２７２００号公報の段落【００５３】〜【００５６】，【０１８８】，及び関連する図面，特開平１１−６５９５０号公報の段落【００２８】，【００７９】，及び関連する図面，「中野剛，外６名，“モバイル端末用アプリケーションサーバ”，Ｍａｔｓｕｓｈｉｔａ　Ｔｅｃｈｎｉｃａｌ　Ｊｏｕｒｎａｌ，松下電器産業株式会社，１９９８年１２月１８日，第４４巻，第６号，ｐ．６９−７４」に記載されているように，移動体通信網にて接続される移動ターミナルにマルチメディアメッセージのサービスを提供することは，本願出願前に周知の技術（以下，「周知技術１」という。）である。
　また，国際公開第９７／４８２４６号パンフレットの第９頁第１０行〜第１４頁第２１行（日本語訳は特表２０００−５１２８１６号公報の第１６頁第２１行〜第２３頁第１行），及び関連する図面，国際公開第９９／１７４９７号パンフレットの第１頁第５行〜第１５頁第３２行（日本語訳は特表２００１−５１８７４３号公報の段落【０００１】〜【００５２】），及び関連する図面，国際公開第９９／１７４９９号パンフレットの第６頁第１行〜第１４頁第９行（日本語訳は特表２００１−５１８７４４号公報の段落【００１４】〜【００３９】），及び関連する図面に記載されているように，移動体通信網と接続する通信システムにおいて，複数の移動ターミナルにアクセスしうるサポートノードを介してデータ通信を行うこと，及び移動ターミナルとサポートノードとの間のデータ転送のためのコンテキストをアクチベートすることは，本願の出願前に周知の技術（以下，「周知技術２」という。）である。
　そうすると，引用例１記載の発明に周知技術１，２を併せて適用し，引用例１記載の発明の移動ターミナルを移動体通信網にて接続する移動ターミナルとし，サポートノードを介して該移動ターミナルとデータ通信を行えるようにマルチメディアメッセージサービスセンターをサポートノードに接続し，アドレスされた移動ターミナルとサポートノードとの間のデータ転送のためのコンテキストをアクチベートすることで，上記相違点３に係る本願発明の構成とすることは，当業者が容易に想到し得たことである。
　
［相違点４］について
　特開平１０−１２４４２９号公報の【請求項１】，特開平６−３２６８５６号公報の【請求項４】，段落【００３０】，【００３７】〜【００４２】，及び関連する図面，特開平６−６２９５号公報の段落【００１５】〜【００１７】，及び関連する図面に記載があるように，音声や画像データを装置間で伝送する際に，相手装置の能力情報からコーデック（符号化方式）を指示し，データを符号化して伝送することは，本願出願前に周知の技術（以下，「周知技術３」という。）である。
　そして，引用例１記載の発明に周知技術３を適用し，能力情報（機器コード）からコーデックを指示できるようにし，上記相違点４に係る本願発明の構成とすることは，当業者が容易に想到し得たことである。
　
［相違点５］について
　メッセージ（例えばメール）の伝送処理を行うシステムにおいて，メッセージを蓄積，管理する装置が，メッセージの存在を示す通知（例えばメールの着信通知）を端末装置に送信することは普通に行われており，
　引用例１記載の発明において，マルチメディアメッセージサービスセンター（センタ装置）がマルチメディアメッセージの存在を指示するため該マルチメディアメッセージに関するマルチメディアメッセージ通知をアドレスされた移動ターミナルへ送信することに格別の困難性はない。
　
［相違点６］について
　端末の処理能力に応じた伝送処理を行うシステムにおいて，端末が，その時々で動的に更新される能力情報（例えば記憶手段の残容量）をセンタ装置に送信することは，特開平１０−２４３０４８号公報の段落【００６４】〜【００７３】，及び関連する図面，特開平９−１８１７６７号公報の段落【００６７】〜【００６９】に記載されているように，本願の出願前に周知の技術（以下，「周知技術４」という。）である。
　そして，引用例１記載の発明に周知技術４を適用して，移動ターミナルが，更新される能力情報をマルチメディアメッセージサービスセンターへ送信するようにして，上記相違点６に係る本願発明の構成とすることは，当業者が容易に想到し得たことである。
　
　そして，本願発明のように構成したことによる効果も引用例１記載の発明，及び周知技術から予想できる程度のものであって，格別のものではない。 
　したがって，本願発明（請求項１に係る発明）は，引用例１記載の発明，及び周知技術に基づいて，当業者が容易に発明をすることができたものである。 
　
５．結び 
　以上のとおり，本願発明は，引用例１記載の発明，及び周知技術に基づいて，当業者が容易に発明をすることができたものである。
　したがって，本願はその余の請求項について論及するまでもなく，特許法第２９条第２項の規定により特許を受けることができない。 
　よって，結論のとおり，審決する。